(57)【特許請求の範囲】
【請求項１】
超電導ケーブルにおいて基板上に超電導薄膜を有する超電導線材により構成された超電導導体層と、常温側の機器と接続するための常電導導体とを備え、前記超電導導体層と前記常電導導体が常電導電極を介して接続されてなる超電導ケーブルの端末構造体であって、
前記常電導電極は、円環板形状からなり、
前記常電導電極に複数の前記超電導線材と常電導導体が接続され、
前記超電導導体層は、複数の超電導線材を螺旋状に巻回することにより構成され、
前記常電導電極に対して複数の前記超電導線材が周方向にて接続されていること、
を特徴とする超電導ケーブルの端末構造体。
【請求項２】
複数の前記超電導線材は、当該超電導線材と種類の異なる電導線を介して前記常電導電極に接続されていること、
を特徴とする請求項１に記載の超電導ケーブルの端末構造体。
【請求項３】
前記電導線は、銅テープであること、
を特徴とする請求項２に記載の超電導ケーブルの端末構造体。
【請求項４】
前記電導線は、酸化物超電導線材にて形成された超電導電流リードであり、
前記超電導ケーブルにおける複数の前記超電導線材は、それぞれ対応する前記超電導電流リードを介して前記常電導電極に接続されていること、
を特徴とする請求項２に記載の超電導ケーブルの端末構造体。
【請求項５】
前記超電導電流リードの前記酸化物超電導線材は、基板上にＴＦＡ−ＭＯＤ法により形成された超電導薄膜を有し、
前記超電導薄膜中には、Ｙ、Ｚｒ、Ｓｎ、Ｔｉ、Ｃｅのうち少なくとも１つを含む５０ｎｍ以下の酸化物粒子が磁束ピンニング点として分散していること、
を特徴とする請求項４に記載の超電導ケーブルの端末構造体。
【請求項６】
前記複数の超電導線材は、前記常電導電極において開口する表裏面の一方の面に接続されていること、
を特徴とする請求項１から５のいずれか一項に記載の超電導ケーブルの端末構造体。
【請求項７】
複数の前記超電導線材は、前記常電導電極の開口に挿通され、
前記常電導電極において開口する表裏面の一方の面は、前記常電導電極における表裏面のうち挿通方向側の面であること、
を特徴とする請求項６に記載の超電導ケーブルの端末構造体。
【請求項８】
前記常電導電極において複数の前記超電導線材が接続された前記一方の面には、前記複数の前記超電導線材との接続部分を押さえて固定する円環板状の押さえ板部が取り付けられている、
請求項６又は７に記載の超電導ケーブルの端末構造体。
【発明の詳細な説明】
【技術分野】
【０００１】
本発明は、超電導ケーブルの終端接続部等の端末構造体に関する。
【背景技術】
【０００２】
従来、極低温で超電導状態になる超電導線材を導体として用いた超電導ケーブルが知られている。超電導ケーブルは、大電流を低損失で送電可能な電力ケーブルとして期待されており、実用化に向けて開発が進められている。
【０００３】
超電導ケーブルは、断熱管内に一心又は複数心のケーブルコアが収容された構造を有するものが知られている。一心のケーブルコアとしては、例えば中心から順に、フォーマ、超電導導体層、電気絶縁層、ケーブルシールド層、及び保護層等を有する。また、ケーブルコアとしては、フォーマの外周に、超電導導体層と、電気絶縁層とを交互に同心円状に配置した複数の超電導導体層を同一心で有する同軸型のケーブルコアが知られている。
【０００４】
断熱管は、ケーブルコアを収容し内部に冷媒（例えば液体窒素）が充填される内管（以下「断熱内管」）と、断熱内管の外周を覆う外管（以下「断熱外管」）を有する。断熱内管と断熱外管の間は、断熱のために真空状態とされる。
【０００５】
超電導ケーブルの終端接続部等に適用される超電導ケーブルの端末構造体においては、低温部となる低温容器に超電導ケーブルの端末部が収容され、超電導ケーブルの導体（例えば超電導導体層）が導体引出部を介して常温部に引き出される。低温容器は、超電導ケーブルの端末部を収容し運転時に液体窒素等の冷媒が充填される冷媒槽と、冷媒槽を収容し運転時に真空状態とされる真空槽とからなる二重構造を有する。
【０００６】
このような超電導ケーブルの端末構造体において、液体窒素が充填される冷媒槽内で、超電導ケーブルの超電導導体層と、常電導部材としての導体引出部とを接続する構造としては、例えば、特許文献１に示す超電導ケーブルの端末構造が知られている。
【０００７】
特許文献１の端末構造では、導体引出部に接続された筒状の常電導接続部材（電極に相当）の内部に、超電導テープを備える超電導ケーブルの芯材が挿入される。また、この筒状の常電導接続部材の外面（外周面）は、軸心に沿って超電導テープ側から離れるに従って外径が大きくなるように段差を付けた階段状に形成されている。これら段差は、超電導テープの層に対応して設けられており、常電導接続部材の内部に超電導ケーブルの芯材を挿入しつつ、芯材の外周に配置されている各層の超電導テープを、常導電接続部材で段差がつけられた段部の上面（「段面」とも称する）毎に、接続する。これにより、極低温部に配された超電導ケーブルを、常電導導体である導体引出部を用いて常温部に引き出している。
【先行技術文献】
【特許文献】
【０００８】
【特許文献１】特開２０１０−２６３６９９号公報
【発明の概要】
【発明が解決しようとする課題】
【０００９】
しかしながら、従来の端末構造体である特許文献１に記載の技術では、超電導ケーブルの超電導導体層の各層を構成する複数の超電導テープは、筒状の常電導接続部材の外面に形成された段差面にそれぞれ対応して接続される。筒状の常電導接続部材の段差面は、超電導ケーブルの延在方向、つまり超電導テープの延在方向の段差によって形成されるため、複数の段差を設ける分、常電導接続部材自体を、超電導ケーブルの延在方向に長くなるように構成する必要がある。
これに対して、本出願人は、超電導ケーブルの複数の超電導テープと、これらを接続する常電導接続部材との接続構造を極力コンパクトにして、端末構造体自体のコンパクト化を図りたいという要望があった。
【００１０】
本発明の目的は、超電導ケーブルにおける複数の超電導線材と常電導導体との接続構造をよりコンパクトにして端末構造体自体の小型化を図ることができる超電導ケーブルの端末構造体を提供することである。
【課題を解決するための手段】
【００１１】
本発明に係る超電導ケーブルの端末構造体は、超電導ケーブルにおいて基板上に超電導薄膜を有する超電導線材により構成された超電導導体層と、常温側の機器と接続するための常電導導体とを備え、前記超電導導体層と前記常電導導体が常電導電極を介して接続されてなる超電導ケーブルの端末構造体であって、
前記常電導電極は、円環板形状からなり、
前記常電導電極に複数の前記超電導線材と常電導導体が接続され、
前記超電導導体層は、複数の超電導線材を螺旋状に巻回することにより構成され、
前記常電導電極に対して複数の前記超電導線材が周方向にて接続されている、構成を採る。
【発明の効果】
【００１２】
本発明によれば、超電導ケーブルにおける複数の超電導線材と常電導導体との接続構造を超電導ケーブルの延在方向に短くすることにより、よりコンパクトにして端末構造体自体の小型化を図ることができる超電導ケーブルの端末構造体を実現できる。
【図面の簡単な説明】
【００１３】
【図１】本発明の一実施の形態に係る端末構造体を示す図
【図２】本発明の一実施の形態に係る端末構造体における超電導ケーブルの概略構成を示す断面図
【図３】本発明の一実施の形態に係る端末構造体のがい管部を含む要部構成を示す図
【図４】本発明の一実施の形態に係る端末構造体のリード部の接続電極部の要部構成を示す後方斜視図
【図５】本発明の一実施の形態に係る端末構造体のリード部の接続電極部の要部構成を示す先端側斜視図
【図６】本発明の一実施の形態に係る端末構造体において低温容器と超電導ケーブルの断熱管との接続部分を示す図
【図７】本発明の一実施の形態に係る端末構造体における内部保持部材の要部構成を示す斜視図
【図８】本発明の一実施の形態に係る端末構造体の接続電極部の変形例１を示す斜視図
【図９】本発明の一実施の形態に係る端末構造体の接続電極部の変形例２を示す斜視図
【図１０】本発明の一実施の形態に係る端末構造体の接続電極部の変形例３を示す斜視図
【図１１】本発明の一実施の形態に係る端末構造体の接続電極部の変形例４を示す斜視図
【発明を実施するための形態】
【００１４】
以下、本発明の実施の形態を図面に基づいて詳細に説明する。
【００１５】
図１は、本発明の一実施の形態に係る端末構造体１を示す図である。説明の便宜上、超電導ケーブル１０が導入される側を後端側（図１では右側）、反対側を先端側（図１では左側であり挿入方向側ともいう）として説明する。
【００１６】
図１に示すように、端末構造体１は、超電導ケーブル１０の端末部と、接続電極部（常電導電極）１３と、電界緩和部１５と、冷媒槽２１及び真空槽２２を有する低温容器２０と、リード部（常電導導体）３０と、シールド通電部４０と、支持脚部（支持部）２８を有する。低温容器２０（詳細には冷媒槽２１）に超電導ケーブル１０の端末部が所定の状態で水平方向に延在するように収容され、接続電極部１３及びリード部３０を介して超電導ケーブル１０の導体電流が電力機器等の実系統側に引き出される。また、シールド通電部４０を介して、超電導ケーブル１０のケーブルシールド層１１４が接地される。本実施の形態の超電導ケーブル１０は、複層の超電導導体層を有し、端末構造体１において、略水平方向に配置した超電導ケーブル１０から超電導導体層毎に、水平方向で所定間隔を空けて、接続電極部１３及びリード部３０を介して導体電流を引き出される。
【００１７】
図２は、本発明の一実施の形態に係る端末構造体における超電導ケーブルの概略構成を示す断面図である。
【００１８】
図１及び図２に示すように、超電導ケーブル１０は、断熱管１２内に、電気絶縁層（導体絶縁層）１１３（１１３−１、１１３−２、１１３−３）を介して超電導導体層１１２（１１２−１、１１２−２、１１２−３）を同心円状に複数備えるケーブルコア１１が収容された超電導ケーブルである。超電導ケーブル１０は、各超電導導体層で位相の異なる電流を流す多相超電導ケーブルとしてもよい。ここでは、超電導導体層を、中心から、Ｕ相、Ｖ相、Ｗ相の電流を流す導体として３層で同軸上に有する三相超電導ケーブルとしている。
【００１９】
ケーブルコア１１は、例えば中心から順に、Ｎ２冷却管である中央冷却管１１１、第１超電導導体層１１２−１、第１電気絶縁層（導体絶縁層）１１３−１、第２超電導導体層１１２−２、第２電気絶縁層（導体絶縁層）１１３−２、第３超電導導体層１１２−３、第３電気絶縁層（導体絶縁層）１１３−３、ケーブルシールド層１１４、及び保護層１１５等を有する。
【００２０】
各超電導導体層１１２及びケーブルシールド層１１４は、例えば、下層の外面に螺旋状に巻き付けた多数本の超電導テープ（テープ状の超電導線材）により構成されるものとした。超電導導体層を構成する各超電導テープは、互いに重ならずに配置されている。
【００２１】
超電導テープは、ここでは、ＲＥＢａｙＣｕ３Ｏｚ系（ＲＥは、Ｙ、Ｎｄ、Ｓｍ、Ｅｕ、Ｇｄ及びＨｏから選択された１種以上の元素を示し、ｙ≦２及びｚ＝６．２〜７である。）の高温超電導薄膜を備える酸化物超電導材である。この超電導テープは、テープ状の金属基板上に成膜された中間層上に、テープ状の超電導薄膜である酸化物超電導層（以下、「超電導層」と称する）、安定化層が順に積層されることによって作製される。なお、超電導テープの金属基板としては、ニッケル（Ｎｉ）、ニッケル合金、ステンレス鋼又は銀（Ａｇ）である。また、中間層は、例えば、金属基板上に、酸化アルミニウム（Ａｌ２Ｏ３）層、ガリウムドープ酸化亜鉛層（Ｇｄ２Ｚｒ２Ｏ７：ＧＺＯ）、或いはイットリウム安定化ジルコニア（ＹＳＺ）等による第１層、Ｙ２Ｏ３又はＬａＭｎＯ３等の層である第２層、酸化マグネシウム（ＭｇＯ）等から成る第３層、酸化ランタンマンガン（ＬａＭｎＯ３）等の層である第４層、酸化セリウム（ＣｅＯ２）層である第５層を、順に積層することによって構成される。
【００２２】
超電導層は、有機金属酸塩あるいは有機金属化合物を原料とし、真空プロセスを使用せずに、ＭＯＤ法（Metal Organic Deposition Processes：有機酸塩堆積法）により中間層上に成膜される。ＭＯＤ法は、金属基板上に中間層を設けた複合基板上の金属有機酸塩を加熱して熱分解することによって複合基板上に超電導層である薄膜を形成する。
このように構成される超電導テープを、複合基板上において、下層の中央冷却管１１１、電気絶縁層１１３（１１３−１、１１３−２）の外周に、超電導層（超電導薄膜）が内周側、複合基板（基板）が外周側となるように、螺旋状に巻回することによって、各超電導導体層１１２は構成される。
【００２３】
電気絶縁層１１３は、それぞれ下層の超電導導体層１１２の外周に、例えば、半合成絶縁紙を巻回して構成される。
【００２４】
保護層１１５は、例えば、ケーブルシールド層１１４の外周にクラフト紙等を巻回して構成される。
【００２５】
超電導ケーブル１０の端末部においては、図１に示すように、ケーブルコア１１に段剥ぎ加工が施され、先端側から順に各層が露出する。各超電導導体層１１２（１１２−１、１１２−２、１１２−３）には、各超電導導体層１１２（１１２−１、１１２−２、１１２−３）に電気的に接続される接続電極部１３（１３−１、１３−２、１３−３）が接続されている。ここでは、接続電極部１３は、超電導導体層１１２の外周に配置される。ケーブルシールド層１１４の外周には、ケーブルシールド層１１４に電気的に接続されるシールド接続端子１４が配置される。超電導導体層１１２（１１２−１、１１２−２、１１２−３）の外周に配置される電気絶縁層１１３（１１３−１、１１３−２、１１３−３）の外周には、ストレスコーン等の電界緩和部１５（１５−１、１５−２、１５−３）が配置される。具体的には、接続電極部１３−１と接続電極部１３−２との間に位置する電気絶縁層１１３−１の外周には、電界緩和部１５−１が配置される。接続電極部１３−２と絶続電極部１３−３との間に位置する電気絶縁層１１３−２の外周には、電界緩和部１５−２が配置される。接続電極部１３−３とシールド接続端子１４の間に位置する電気絶縁層１１３−３の外周には電界緩和部１５−３が配置される。
【００２６】
断熱管１２は、内側の断熱内管１２１と外側の断熱外管１２２とからなる二重管構造を有する。断熱内管１２１及び断熱外管１２２は、コルゲート状を有することが好ましい。断熱内管１２１及び断熱外管１２２は、例えば、ステンレス鋼（ＳＵＳ）製のコルゲート管（波付き管）によりそれぞれ構成される。
【００２７】
断熱内管１２１は、ケーブルコア１１を収容し、運転時には冷媒（例えば液体窒素）が充填される。これにより、超電導導体層１１２は、超電導状態に維持される。断熱内管１２１と断熱外管１２２の間は、断熱のために、運転時に真空状態に保持される。
【００２８】
このように超電導ケーブル１０は、フォーマの外周側に、超電導導体層と、波付き管である断熱内管と断熱外管とによる二重構造を採る断熱管とを順に有する構成となっている。
【００２９】
低温容器２０は、内側の冷媒槽２１と外側の真空槽２２とからなる二重構造を有する。
【００３０】
冷媒槽２１は、例えば中空円筒形状を有し、超電導ケーブル１０の端末部を収容する。  冷媒槽２１は、エポキシ樹脂や繊維強化プラスチック（ＦＲＰ：Fiber Reinforced Plastics）等の絶縁材料により構成される絶縁管である。すなわち、超電導ケーブル１０の端末部は、冷媒槽２１である絶縁管に収容される。冷媒槽２１は、リード部３０を導入する内側の導体貫通部（「内側貫通部」という）２１４（２１４−１、２１４−２、２１４−３）及びシールド通電部４０を導入するシールド内側貫通部２１６を有する。冷媒槽２１は、例えば真空槽２２内に配置された架台（図示略）に載置してもよい。
【００３１】
冷媒槽２１には後端側から超電導ケーブル１０の端末部が導入される。冷媒槽２１の後端部の後端面２１２には、超電導ケーブル１０の断熱内管１２１が接続される。また、冷媒槽２１内には、断熱内管１２１内のケーブルコア１１が挿入される。冷媒槽２１には、運転時に冷媒循環装置（図示略）により冷媒が循環供給される。冷媒槽２１に連通する断熱内管１２１の内部も冷媒で充填される。なお、本実施の形態では、断熱内管１２１は、その先端部に取り付けられる内部フランジ部７４を介して、後端部（後端面２１２）に接続されている。この冷媒槽２１の後端面２１２と超電導ケーブル１０における断熱管１２の断熱内管１２１との接続については、真空槽２２の後端部（後端側管部）と超電導ケーブル１０の断熱外管１２２との接続構造と共に、低温容器２０と断熱管１２の接続構造として詳細に後述する。
【００３２】
冷媒槽２１の内側貫通部２１４には、リード部３０の導体中継部３２（図３参照）が取り付けられている。導体中継部３２は、内側貫通部２１４に、例えばエポキシ樹脂やＦＲＰ等の絶縁材料で構成される絶縁スペ−サーを介して気密的に取り付けられている。すなわち、絶縁スペーサー及び導体中継部３２により冷媒槽２１と真空槽２２とが仕切られており、冷媒槽２１は気密かつ水密に封止される。
【００３３】
真空槽２２は、例えば中空円筒形状を有し、冷媒槽２１を収容する。真空槽２２は、冷媒槽２１を囲むように配置されている。真空槽２２は、電界緩和部１５（１５−１、１５−２、１５−３）に対応する位置に、超電導ケーブル１０と同軸上に配置されるがい管部２３（２３−１、２３−２、２３−３）と、外側の導体貫通部（「外側貫通部」という）２２４（２２４−１、２２４−２、２２４−３）とを有する。外側の導体貫通部（「外側貫通部」という）２２４は、がい管部２３の軸方向先端側に接続される。
【００３４】
図３は、本発明の一実施の形態に係る端末構造体１のがい管部２３を含む要部構成を示す図である。なお、各がい管部２３−１、２３−２、２３−３は、それぞれ同様に構成されるのでがい管部２３として説明する。また、がい管部２３−１、超電導導体層１１２−１、接続電極部１３−１、電気絶縁層１１３−１及び電界緩和部１５−１の関係と、がい管部２３−２、超電導導体層１１２−２、接続電極部１３−２、電気絶縁層１１３−２及び電界緩和部１５−２の関係と、がい管部２３−３、超電導導体層１１２−３、接続電極部１３−３、電気絶縁層１１３−３及び電界緩和部１５−３との関係はそれぞれ同様である。よって、以下では、がい管部２３とともに、超電導導体層１１２、接続電極部１３、電気絶縁層１１３及び電界緩和部１５を用いて説明する。
【００３５】
がい管部２３（２３−１、２３−２、２３−３）は、例えば、ポリマーがい管または磁器がい管により構成される。ここでは、がい管部２３をポリマーがい管で構成したものとして説明する。
【００３６】
図３に示すように、がい管部２３は、絶縁筒２３２と、ポリマー被覆体２３４と、を有する。絶縁筒２３２は、機械的強度の高いＦＲＰ（繊維強化プラスチック）で構成され、冷媒槽２１内の超電導ケーブル１０に取り付けられる電界緩和部１５の周囲に、電界緩和部１５を囲む位置に配置される。ポリマー被覆体２３４は、電気絶縁性能に優れる材料、例えばシリコーンポリマー（シリコーンゴム）などの高分子材料で構成される。ポリマー被覆体２３４は、絶縁筒２３２の外周に設けられており、ポリマー被覆体２３４の外周面には、複数個の傘状の襞部が長手方向に離間して形成される。がい管部２３の内部（絶縁筒２３２の内部）は中空となっている。
【００３７】
がい管部２３の内部は、運転時には真空引きされて真空状態となる。本実施の形態では、がい管部２３は、絶縁管である冷媒槽２１内のケーブルコア１１（詳細には電気絶縁層１１３の外周）に設けられた電界緩和部１５を囲む位置で、冷媒槽２１の外側に配置されていることから、真空断熱部を大きく確保できる。これにより、リード部３０を介して外部から冷媒槽２１内へ侵入する熱侵入を低減することができる。
【００３８】
真空槽２２の外側貫通部２２４には、リード部３０の外部端子部３４が取り付けられている。外部端子部３４は、外側貫通部２２４に、例えばエポキシ樹脂やＦＲＰ等の絶縁材料で構成される絶縁スペ−サーを介して気密的に取り付けられている。すなわち、絶縁スペーサー及び外部端子部３４により真空槽２２は気密かつ水密に封止される。
【００３９】
真空槽２２の内部には、外側貫通部２２４の下方に内側貫通部２１４が位置し、シールド外側貫通部２２６の下方にシールド内側貫通部２１６が位置する（図１参照）ように位置決めされた状態で、冷媒槽２１が配置される。真空槽２２の後端面２２２（図１参照）には、超電導ケーブル１０の断熱外管１２２が接続される。本実施の形態では、断熱外管１２２は、その先端部に取り付けられる外部フランジ部８４（図１参照）を介して真空槽２２の後端面２２２に接続されている。
【００４０】
冷媒槽２１の内側貫通部２１４及びシールド内側貫通部２１６が真空槽２２に収容されるので、熱伝達経路となる接続電極部１３、リード部３０及びシールド通電部４０は真空槽２２の内部まで導入される。これにより、熱侵入を低減するための熱伝達経路長を確保しやすくなるので、接続電極と外部端子部の長さを最小限にすることができ、端末構造体１の小型化を図ることができる。
【００４１】
真空槽２２は、運転時に真空ポンプ（図示略）により真空引きされ、真空状態に保持される。真空槽２２に連通する断熱内管１２１と断熱外管１２２の間の空間が真空状態に保持される。
【００４２】
リード部３０は、超電導ケーブル１０、具体的には、端末構造体１から実系統に電流を引き出すための導体である。リード部３０は、超電導ケーブル１０の超電導導体層１１２に接続される接続電極部１３に接続されるものであり、内部中間導体３１、導体中継部３２、外部中間導体３３、外部端子部３４を有する。
【００４３】
なお、本実施の形態では、内部中間導体３１及び外部中間導体３３を、例えば、平編銅線等のフレキシブル導体等の可撓性を有するように構成し、内部中間導体３１及び外部中間導体３３が、冷却時における冷媒槽２１の熱収縮を吸収する収縮吸収部として機能する。
【００４４】
外部端子部３４及び導体中継部３２は、例えば、導電性を有する材料、例えば、銅で構成される。外部端子部３４は、真空槽２２を気密に貫通して真空槽２２に固定される。外部端子部３４の一端３４ａは、外部に引き出され、他端３４ｂは真空槽２２の内部で導体中継部３２に、外部中間導体３３を介して電気的に接続される。導体中継部３２は、冷媒槽２１を気密に貫通して冷媒槽２１に固定される。導体中継部３２は、冷媒槽２１の外部に位置する一端３２ａで外部中間導体３３に接続され、冷媒槽２１内の他端３２ｂで、内部中間導体３１を介して、接続電極部１３に接続される。内部中間導体３１は、外部中間導体３３と同様に可撓性を有するので、冷却時における冷媒槽２１の熱収縮（特に水平方向の熱収縮）を容易に吸収できる。
【００４５】
図４及び図５は、本発明の一実施の形態に係る端末構造体の接続電極部１３の要部構成を示す斜視図である。
【００４６】
図４及び図５に示す接続電極部１３は、冷媒槽２１中の超電導導体層１１２（具体的には超電導テープ１１２０）の端末に電気的に接続される。
【００４７】
接続電極部１３は、常温側の機器と接続するための常電導導体であるリード部３０に電気的に接続される。接続電極部１３は、超電導ケーブル１０の超電導導体層１１２と、外部端子部３４とを接続する。
【００４８】
接続電極部１３は、銅等の導電部材により形成されており、円環板状の電極本体１３２を有する。電極本体１３２には、接続片部１３４が突設されており、この接続片部１３４に内部中間導体３１（図３参照）が接続されている。
【００４９】
電極本体１３２を貫通する中央の開口には、冷媒槽２１内の超電導ケーブル１０が挿通されている。電極本体１３２には、段剥ぎされて外周側で露出する超電導導体層１１２を構成する複数の超電導テープ（テープ状の超電導線材）１１２０が接続されている。なお、電極本体１３２に接続される超電導テープ１１２０は、ケーブルコア１１において、電極本体１３２を挿通させることが可能な超電導導体層のうち最も外周側に位置する超電導導体層１１２を構成する複数の超電導テープ１１２０であることが好ましい。
【００５０】
ここでは、ケーブルコア１１において、最も外側に位置する超電導導体層１１２を構成する複数の超電導テープ１１２０の端部１１２０１以外の部分、つまり最も外側に位置する超電導導体層１１２より中心側に位置する部位を、電極本体１３２の開口に挿入されている。そして、最も外側に位置する超電導導体層１１２を構成する複数の超電導テープ１１２０の端部１１２０１は、電極本体１３２の開口を通過せずに、電極本体１３２において開口する表裏面のうち挿通方向逆側の面（後端側の面）１３２ａで、半田を介して電気的に接続している。ここでは各超電導テープ１１２０を、電極本体１３２（後端側の面１３２ａ）に、周方向に等間隔を空けて接続されている。複数の超電導テープ１１２０は、ケーブルコア１１では、それぞれ複合基板側を外側にし、超電導層側を内側にして配置されているので、超電導導体層側の面、すなわち、安定化層側の面で電極本体１３２の後端側の面１３２ａに接続される。
【００５１】
また、電極本体１３２に対して複数の超電導テープ１１２０は、互い同士や他の部材に接触しないように、それぞれ撓ませた状態で接続されている。これにより冷却時において超電導テープ１１２０自体が収縮（特に水平方向の熱収縮）しても容易に吸収して電極本体１３２自体、ひいては、内部中間導体３１、内部中間導体３１も含む他のリード部自体に負荷がかかることがない。また、超電導テープ１１２０は、電極本体１３２を挿通するケーブルコア１１の延在方向に配置されている状態から立ち上げて、電極本体１３２の後端側の面１３２ａに接続している。これにより、可撓性を有する超電導テープ１１２０は、ケーブルコア１１の延在方向に沿った元の位置に戻ろうとするので、戻る方向に位置する後端側の面１３２ａに対して密着した状態で接触する。これにより、超電導テープ１１２０と電極本体１３２とを半田を介してより確実に安定して電気的に接続できる。
【００５２】
図１に示すシールド通電部４０は、超電導ケーブル１０のケーブルシールド層１１４を接地するための導体である。シールド通電部４０は、例えば、銅製の棒材からなるシールド引出棒を有する等、公知の構成を適用することができる。ここでは、シールド通電部４０は、リード部３０と同様に構成され、超電導ケーブル１０のシールド層１１４に接続されるシールド接続端子１４に接続されるものであり、内部中間導体３１と同様に構成される内部中間導体（図示省略）、導体中継部３２と同様に構成されるシールド中継部４２、外部中間導体３３と同様に構成される外部中間導体（図示省略）、外部端子部３４と同様に構成されるシールド外部端子部（図示省略）を有する。シールド通電部４０では、シールド外部端子は、真空槽２２におけるシールド外側貫通部２２６を気密に貫通して外部に引き出されるように固定される。シールド外部端子は、内部中間導体（図示省略）を介して、真空槽２２の内部で、シールド中継部４２の一端に電気的に接続される。シールド中継部４２は、冷媒槽２１を気密に貫通して冷媒槽２１に固定される。具体的には、シールド中継部４２は、シールド内側貫通部２１６に、冷媒槽２１を貫通して、且つ、気密的に固定されている。シールド中継部４２は、シールド接続端子１４に接続される。シールド通電部４０は、シールド接続端子１４を介して超電導ケーブル１０のケーブルシールド層１１４と電気的に接続する。シールド通電部４０における内部中間導体、外部中間導体は、例えば平編銅線等のフレキシブル導体（図示略）により構成される。これにより、超電導ケーブル１０の熱伸縮によりシールド接続端子１４の位置が水平方向に（図１の左右方向）に移動しても、容易に追従することができるので、真空槽２２のシールド外側貫通部２２６等の損傷を防止できる。本実施の形態では、シールド中継部４２において冷媒槽２１内に配置される部位をフレキシブル導体で構成して、このフレキシブル導体を介してシールド接続端子１４に接続している。
【００５３】
図１に示す支持脚部２８は、真空槽２２（詳細にはがい管部２３）を他の機器、ここでは、設置面から離間して支持する。ここでは、支持脚部２８は、真空槽２２の前端側及び後端側の下面から下方に突出して設けられ、真空槽２２を、超電導ケーブル１０の軸方向に沿って、水平方向に延在するように支持している。
【００５４】
支持脚部２８において先端側の脚部２８−１には、真空槽２２の先端側で高電圧が印可されるため、その外面には複数の襞部を有する電界緩和部２８２が設けられている。
【００５５】
図６は、本発明の一実施の形態に係る端末構造体１において低温容器２０と超電導ケーブル１０の断熱管１２との接続部分を示す図である。
【００５６】
図６に示すように、超電導ケーブル１０における低温容器２０の後端部では、断熱内管１２１は、真空槽２２の後端面２２２を貫通し、少なくとも冷媒槽２１の後端面２１２近傍まで引き込まれている。
【００５７】
内部フランジ部７４は、中央の開口を、冷媒槽２１の後端面２１２の開口２１２ａに対応させた状態で、開口２１２ａの縁部に当接されている。内部フランジ部７４は、冷媒槽２１の後端面２１２と断熱内管１２１とを密閉性を損なうことなく、真空槽２２内で、冷媒槽２１に気密的に接続している。
【００５８】
内部フランジ部７４は、冷媒槽２１の後端面２１２と真空槽２２の後端面２２２との間で、断熱内管１２１の端部に連続して設けられている。内部フランジ部７４の内部にはケーブルコア１１が挿通されている。
【００５９】
内部フランジ部７４は、ケーブルコア１１の外周を囲むように配置されている。内部フランジ部７４は、一端部側の円環状の面（内部フランジ部７４の一端部）が冷媒槽２１の後端面２１２に当接し、他端部側に形成された内部筒部７６の他端部（後端部）が断熱内管１２１の一端部（先端部）に接続されている。内部フランジ部７４は、内部筒部７６に断熱内管１２１に気密的に接合（溶接）されることにより、断熱内管１２１に対して、負荷を与えること無く、断熱内管１２１に対して、外周側に突出するように固定されている。内部フランジ部７４では、一端部側の円環状の面（内部フランジ部７４の一端部）が、冷媒槽２１の後端面２１２に押し付けられ、内部フランジ部７４は、後端面２１２と内部保持部材５０とで挟持されることにより固定されている。
【００６０】
内部保持部材５０は、内部フランジ部７４に係合する係合部を有する保持部本体５２と、保持部本体５２を冷媒槽２１の後端面２１２に止着して固定する止着部５４とを有する。
【００６１】
図７は、本発明の一実施の形態に係る端末構造体１における内部保持部材５０の要部構成を示す斜視図である。
【００６２】
保持部本体５２は、ここでは、内部フランジ部７４に対して、後端側から係合可能なリング状をなしている。なお、保持部本体５２を、内部フランジ部７４の後端面側に配置する場合には、内部フランジ部７４と断熱内管１２１とを接合部９０を介して接続する前に両部材の間に介在させておく。また、保持部本体５２を、軸心を通る面で複数に分割した分割体により構成したものでもよい。この場合、内部フランジ部７４と断熱内管１２１とを組み付けた後で、分割体を内部フランジ部７４の後端面側に配置できる。
【００６３】
止着部５４は、例えば、ボルトであり、保持部本体５２の外周縁部で厚み方向に後端側から挿入され、後端側の面で頭部が掛止し、先端側の面から突出する軸部を冷媒槽２１の後端面２１２に螺合する。この止着部５４により、保持部本体５２は、外周縁側で冷媒槽２１の後端面２１２に止着される（図６参照）。これにより、止着部（ボルト）５４を締めることにより保持部本体５２が後端面２１２側に変位し、保持部本体５２の先端側の面５２ａで係合する内部フランジ部７４が全周に亘って均等に後端面２１２に押圧される（図１及び図６参照）。すなわち、保持部本体５２は、後端面２１２とともに内部フランジ部７４を挟持した状態で保持する。また、内部フランジ部７４と後端面２１２との間には、ガスケット（Ｏリング）等の気密部材１８が設けられ、内部フランジ部７４は、気密部材１８を挟み後端面２１２に、一層気密的に固定される。
【００６４】
このように、保持部本体５２にボルト等の止着部５４をねじ込むことにより内部フランジ部７４を冷媒槽２１に固定する場合、ねじ込む際の荷重は、保持部本体５２にかかる。よって、内部フランジ部７４にねじ込む際の荷重（螺合方向（捻れ方向）の荷重）がかかることがなく、内部フランジ部７４を、超電導ケーブル１０の軸方向に沿って、後端面２１２側に略平行移動させることができる。これにより、内部保持部材５０は、内部フランジ部７４（具体的には、内部フランジ部７４の一端面）を後端面２１２に押し付けて挟持した状態で保持できる。よって、内部保持部材５０は、他端部側が断熱内管１２１に接続された内部フランジ部７４を、内部フランジ部７４を変形させることなく、つまり、断熱内管１２１に負荷をかけることなく、好適に冷媒槽２１に固定することができる。
【００６５】
図６に示すように、真空槽２２の後端面２２２と断熱外管１２２は、外部フランジ部８４を介して接続されている。
【００６６】
外部フランジ部８４は、断熱外管１２２の先端側で接続（ここでは、断熱外管１２２の先端部に接続）接続されており、断熱外管１２２とともに内部には、ケーブルコア１１及び断熱内管１２１が挿通されている。
【００６７】
外部フランジ部８４は、内部フランジ部７４と同様に構成されており、ここでは、円環板状部を有し、ケーブルコア１１の外周を囲むように配置されている。外部フランジ部８４は、一端部側の円環状の面（内部フランジ部７４の一端部）が真空槽２２の後端面２２２に当接し、他端部（後端部）側に形成された外部筒部８２で断熱外管１２２の一端部（先端部）に連続して形成されている。ここでは、外部フランジ部８４において、外部筒部８２の内周面で断熱外管１２２が溶接等によりなる接合部９０を介して気密的に接合されている。なお、外部筒部８２の外周面で接合部９０介して断熱外管１２２に気密的に接合されてもよい。外部フランジ部８４の外径（円環板状部分の外径）は、真空槽２２の後端面２２２の開口２２２ａよりも大きく、外部フランジ部８４の外周縁の先端側の面は、開口２２２ａの縁部に対向する位置に位置される。外部フランジ部８４（具体的には外部フランジ部８４の外周縁の先端側の面）は、外部保持部材６０により、真空槽２２の後端面２２２に押し付けられ、後端面２２２とで挟持されることにより保持されている。
【００６８】
外部保持部材６０は、外部フランジ部８４に、外部フランジ部８４の他端部側（後端面側）から係合する係合部を有する保持部本体６２と、保持部本体６２を真空槽２２の後端面２２２に止着して固定する止着部６４とを有する。
【００６９】
外部保持部材６０は、例えば、内部保持部材５０と比較して外径及び内径の寸法が異なり、内部保持部材５０と同様にリング状に形成される。
【００７０】
すなわち、保持部本体６２は、外部フランジ部８４に対して、後端側から係合可能なリング状をなしている。
【００７１】
止着部６４は、例えばボルトであり、保持部本体６２の外周縁部で、厚み方向に後端側から挿入され、後端側の面で頭部が掛止し、先端側の面から突出する軸部が、真空槽２２の後端面２１２に螺合する。この止着部６４により、保持部本体６２は、外周縁側で真空槽２２の後端面２２２における開口２２２ａの縁部に止着される。止着部（ボルト）６４を締めることにより保持部本体６２が後端面２２２側に変位し、これに係合する外部フランジ部８４が全周に亘って均等に後端面２１２に押圧される。すなわち、保持部本体６２は、後端面２２２とともに外部フランジ部８４を挟持した状態で保持する。また、外部フランジ部８４と後端面２２２との間には、ガスケット（Ｏリング）等の気密部材１８が設けられ、外部フランジ部８４は、気密部材１８を挟み後端面２２２に一層気密的に固定される。
【００７２】
このように、保持部本体６２にボルト等の止着部６４をねじ込むことにより外部フランジ部８４を真空槽２２に固定する場合、ねじ込む際の荷重は、保持部本体６２にかかる。よって、外部フランジ部８４にねじ込む際の荷重（螺合方向（捻れ方向）の荷重）がかかることがなく、外部フランジ部８４の外部フランジ部８４を、超電導ケーブル１０の軸方向に沿って、後端面２２２側に略平行移動させることができる。これにより、外部フランジ部８４（具体的には、外部フランジ部８４の一端面）を後端面２２２に押し付けて保持できる。よって、外部保持部材６０は、他端部側が断熱外管１２２に接続された外部フランジ部８４を変形させることなく、好適に真空槽２２に固定することができる。
【００７３】
端末構造体１では、冷却時における冷媒槽２１の収縮、超電導ケーブル１０のケーブルコア１１における各層の収縮を吸収するために、平編銅線等のフレキシブル導体で構成する内部中間導体３１及び外部中間導体３３、或いは、超電導テープ１１２０を撓ませて接続電極部１３に接続するようにしている。これにより、冷却時において冷媒槽２１、超電導ケーブル１０が熱収縮しても、リード部３０等が損傷することを防止できる。
【００７４】
なお、図４に示す接続電極部１３において、超電導テープ１１２０が接続される電極本体１３の面（後端側の面１３２ａ）に超電導テープ１１２０を押さえる押え部を設けた構成としてもよい。
【００７５】
図８は、接続電極部の変形例１を示す図である。
【００７６】
図８に示す接続電極部１３Ａは、図４、図５に示す接続電極部１３の構成において、超電導テープ１１２０が接続された電極本体１３２の挿入方向逆側（後端側）の面１３２ａに、面１３２ａを覆うように、押え部１３６を取り付けている。
【００７７】
押え部１３６は、電極本体１３２を軸方向で見た形状と同様の外形を有する円環板状をなしている。押え部１３６は、絶縁材料でも導電材料でもいずれの材料により形成されてもよい。電極本体１３２の面１３２ａと、押え部１３６とを超電導テープ１１２０とともに半田を挟む等して密着させた構成にすることが好ましい。このような接続電極部１３Ａの構成によれば、周方向で等間隔に接続される複数の超電導テープ１１２０とより確実に電気的に接続できる。
【００７８】
また、図９に示す変形例２としての接続電極部１３Ｂのように、超電導電流リード１３７を介して、超電導ケーブル１０の超電導導体層１１２（具体的には超電導テープ１１２０）と接続するようにしてもよい。
【００７９】
接続電極部１３Ｂは、銅等の導電部材により形成された円環板状の電極本体１３２Ｂを有し、電極本体１３２Ｂの外周の一部には、内部中間導体３１（図３参照）が接続される接続片部１３４が半径方向に突設されている。
【００８０】
電極本体１３２Ｂにおける後端側の面１３２Ｂａには、複数の超電導テープ１１２０が、超電導テープ（酸化物超電導線材）にて形成された超電導電流リード１３７を介してそれぞれ接続されている。なお、超電導電流リード１３７における超電導テープは、超電導テープ１１２０と同様の超電導テープにより構成してもよい。すなわち、超電導電流リード１３７の超電導テープは、複合基板（超電導テープ１１２０の複合基板と同様）上にＴＦＡ−ＭＯＤ法により形成された超電導薄膜を有する。この超電導薄膜中には、Ｙ、Ｚｒ、Ｓｎ、Ｔｉ、Ｃｅのうち少なくとも１つを含む５０ｎｍ以下の酸化物粒子が磁束ピンニング点として分散している。このとき、超電導テープ１１２０は、超電導電流リード１３７に、超電導層側の面で半田接続されることが望ましい。
【００８１】
端末構造体１において、接続電極部１３に替えて接続電極部１３Ｂを用いた構造によれば、超電導ケーブル１０の各超電導導体層１１２を構成する超電導テープ１１２０は、熱を伝達しにくい超電導電流リード１３７を介して、接続電極部１３Ｂに電気的に接続される。これにより、外部から冷媒槽２１内へ熱が伝達される際に、超電導電流リード１３７を通ることとなるので、接続電極部１３と比較して、一層、熱侵入しにくい。
【００８２】
また、図１０に示す変形例３としての接続電極部１３Ｃのように、超電導テープとは異なる常電導線（常電導テープ１３８）を介して、超電導ケーブル１０の超電導導体層１１２（具体的には超電導テープ１１２０）と接続するようにしてもよい。
【００８３】
図１０に示す接続電極部１３Ｃは、銅等の導電部材により形成された円環板状の電極本体１３２Ｃを有し、電極本体１３２Ｃの外周の一部には、内部中間導体３１（図３参照）が接続される接続片部１３４が半径方向に突設されている。
【００８４】
電極本体１３２Ｃにおける後端側の面１３２Ｃａには、超電導ケーブル１０の超電導導体層１１２を各層で構成する複数の超電導テープ１１２０が、それぞれ常導電テープ（常導電線）１３８を介して電気的に接続されている。ここでは、常導電テープ１３８は、常導電性を有する線材であればどのような線材でもよく、例えば、銅テープが用いられる。なお、銅テープ１３８等の常電導テープ１３８を介して超電導テープ１１２０と接続電極部１３Ｃとを電気的に接続（例えば半田接続）する際に、銅テープ（常導電テープ１３８）と接続電極部１３Ｃとの接続に使用する半田と、銅テープ（常導電テープ１３８）と超電導テープ１１２０との接続に使用する半田とを、融点の異なる半田を用いるようにしてもよい。さらに常電導線を介することによって超電導テープ１１２０を撓ませて接続電極部１３Ｃに接続できるため、冷却時における冷媒槽２１の収縮を吸収できる。また、図９に示す接続電極部１３Ｂにおいて、超電導電流リード１３７と、超電導テープ１１２０との間に、図１０で示す常導電テープ１３８を介在させてもよい。この構成の場合、超電導電流リード１３７と、超電導テープ１１２０と、常導電テープ１３８とはそれぞれ半田により電気的に接続される。なお、この構成においても、超電導テープ１１２０は、接続対象としての常電導テープ１３８に対して、超電導テープ１１２０の超電導層側の面で半田接続されることが望ましい。
【００８５】
また、端末構造体１において、接続電極部１３に替えて、図１１に示す変形例４の接続電極部１３Ｄを用いても良い。
【００８６】
図１１に示す接続電極部１３Ｄは、銅等の導電部材により形成された円環板状の電極本体１３２Ｄを有し、電極本体１３２Ｄの外周の一部には、内部中間導体３１（図３参照）が接続される接続片部１３４が半径方向に突設されている。
【００８７】
また、電極本体１３２Ｄ内には、銅等の導電部材により形成され、且つ、中央の開口に超電導ケーブル１０が挿通される円環板部１３９が配置されている。電極本体１３２Ｄと、円環板部１３９は、超電導電流リード１３７を介して接続されている。円環板部１３９には、開口方向に位置する表裏面のうち一方の面（後端側の面）１３９ａに、超電導導体層１１２を各層毎に構成する複数の超電導テープ１１２０が、半田を介して電気的に接続されている。この構成における超電導テープ１１２０は、接続対象としての円環板部１３９に対して、超電導層側の面で半田接続されることが望ましい。
【００８８】
この構成により、複数の超電導テープ１１２０が接続された円環板部１３９と、電極本体１３２とは、熱伝導しにくい超電導電流リード１３７を介して電気的に接続されているので、超電導テープ１１２０が配置される冷媒槽２１への熱侵入を防止できる。
【００８９】
本実施の形態の超電導ケーブルの端末構造体１によれば、超電導ケーブル１０において基板上に超電導薄膜を有する超電導線材１１２０により構成された超電導導体層１１２と、常温側の機器と接続するための常電導導体（リード部３０）とを備え、超電導導体層１１２と常電導導体（リード部３０）が常電導電極（接続電極部１３）を介して接続されてなる超電導ケーブル１０の端末構造体１である。超電導導体層１１２は、超電導線材（超電導テープ１１２０）を、超電導薄膜が内周側、基板が外周側となるように螺旋状に巻回して構成され、常電導電極（接続電極部１３）は、円環板形状からなり、常電導電極（接続電極部１３）に複数の超電導線材（超電導テープ１１２０）と常電導導体（リード部３０）が接続されている。超電導導体層１１２は、複数の超電導線材（超電導テープ１１２０）により構成されてもよい。
【００９０】
常電導電極（接続電極部１３）に対して複数の超電導線材（超電導テープ１１２０）が周方向にて等間隔に接続されてもよい。なお、複数の超電導線材（超電導テープ１１２０）は、常電導線（常電導テープ１３８、超電導電流リード１３７）を介して常電導電極（接続電極部１３Ｂ、１３Ｃ）に接続されていてもよい。また、複数の超電導線材（超電導テープ１１２０）と、常電導電極（接続電極部１３Ｂ、１３Ｃ）とに介設される常電導線は、種類の異なる電導線（例えば、常電導テープ１３８と超電導電流リード１３７）により構成されてもよい。また、複数の超電導線材（超電導テープ１１２０）は、常電導電極（接続電極部１３）において開口する表裏面の一方の面１３２ａに接続されていてもよい。なお、この面は、常電導電極（接続電極部１３）における表裏面のうち挿通方向側の面であることが望ましい。また、常電導電極（雪像電極部１３）において複数の超電導線材（超電導テープ１１２０）が接続された一方の面１３２ａには、複数の超電導線材（超電導テープ１１２０）との接続部分を押さえて固定する円環板状の押さえ板部（押え部１３６）が取り付けられてもよい。
【００９１】
このように本実施の形態では、複数の超電導線材（超電導テープ１１２０）は、円環板状の接続電極部１３、特に、軸方向で開口する表裏面の一方の面（後端側の面）１３２ａに接続される。
つまり、超電導ケーブル１０が挿入される開口方向の延在する面（先端側の面）とは異なる面（ここでは、後端側の面であり、超電導ケーブル１０の延在方向と直交して位置する面１３２ａ）で超電導線材（超電導テープ１１２０）と常電導電極（接続電極部１３）とを好適に接続できる。これにより、従来と異なり、複層で配置される複数の超電導線材（超電導テープ１１２０）を層毎にそれぞれ接続する段差等を設けるために必要な、超電導ケーブル１０の延在方向の電極の長さを必要としない。つまり、超電導ケーブル１０の延在方向における超電導線材（超電導テープ１１２０）と常電導電極（接続電極部１３）との接続部分の長さ、つまり、複数の超電導線材（超電導テープ１１２０）の延在方向の長さを短くできる。したがって、超電導ケーブルにおける複数の超電導線材と常電導導体との接続構造をよりコンパクトにして端末構造体自体の小型化を図ることができる。
【００９２】
また、端末構造体１では、超電導ケーブル１０から導体の引き出しは、水平方向に延在する中空の低温容器２０の上方から引き出す構成しているが、接続電極部１３では、超電導テープ１１２０が接続される円環状の電極本体１３２の外周に形成される接続片部１３４の位置、数によって、導体の引出方向を自由に変更できる。例えば、低温容器２０の外周面において、超電導テープの導体を、水平方向に引き出したり、下方に引き出したり、斜め方向に引き出すことも可能である。その場合、リード部３０が貫通する導体中継部３２、外部端子部３４の位置も適宜変更した構成にすることは勿論である。
なお、本実施の形態では、複数の超電導導体層１１２―３、１１２−２、１１２−３と、これらを絶縁するがい管２３−１、２３−２、２３−３を直線上に並べた状態で、それぞれの超電導導体層１１２―３、１１２−２、１１２−３を流れる電流を、接続電極部１３、電極部リード部３０を介して、端末構造体１の外部に引き出している。よって、従来と異なり、上方に筒状部と絶縁管の設置領域を確保する必要がなく、低温容器をより小さくして端末構造体自体のコンパクト化を図ることができ、設置スペースを小さくできるとともに、熱侵入を低減できる。
【００９３】
また、本実施の形態の端末構造体１においては、複数層の超電導導体層を有する超電導ケーブル１０、特に３相超電導ケーブルとしたが、これに限らず、超電導導体層が一層で一相の超電導ケーブル１０を用いた構成としてもよい。
なお、図９〜図１１に示す変形例２〜４の接続電極部１３Ｂ〜１３Ｄでは、図８に示す押え部１３６と同様の機能を有する押え部を取り付けた構成としてもよい。例えば、図９に示す接続電極部１３Ｂの電極本体１３２Ｂにおいて、複数の超電導電流リード１３７が取り付けられる面１３２Ｂａを覆うように、面１３２Ｂａに、電極本体１３２Ｂと同形状の円環板状の押え部を密着して取り付けた構成としてもよい。これにより、押え部１３６を用いた変形例１と同様の作用効果を得ることができる。
【００９４】
また、図１０に示す接続電極部１３Ｃでは、電極本体１３２Ｃにおいて、複数の常導電テープ１３８が取り付けられる面１３２Ｃａを覆うように、面１３２Ｃａに、電極本体１３２Ｃと同形状の円環板状の押え部を密着して取り付けた構成としてもよい。これにより、押え部１３６を用いた変形例１と同様の作用効果を得ることができる。
【００９５】
また、図１１に示す接続電極部１３Ｄでは、電極本体１３２Ｄ内の円環板部１３９において、複数の超電導テープ１１２０が取り付けられる面に、超電導テープ１１２０を挟みように、円環板部１３９と同形状の押え部を密着して取り付けた構成としてもよい。これにより、押え部１３６を用いた変形例１と同様の作用効果を得ることができる。
【００９６】
また、図１１に示す接続電極部１３Ｄの構成において、円環板部１３９と、超電導テープ１１２０との間に、図１０で示すような常電導テープを介設するようにしてもよい。なお、接続電極部において。電極本体と超電導テープ１１２０との間に適宜、略セラミック製であるために熱伝導率が低い超電導電流リードを介して接続するようにすれば、電極本体側、つまり外部から、超電導テープ側、つまり、冷媒槽２１側への熱侵入を防止できる。
また、本実施の形態の超電導ケーブルの端末構造体１は、複数の超電導導体層１１２―３、１１２−２、１１２−３と、これらを絶縁するがい管２３−１、２３−２、２３−３を真空槽２２において電界緩和部１５−１、１５−２、１５−３に対応する位置に設けて、直線上に並べた構成したが、これに限らない。すなわち、真空槽２２を、超電導ケーブル１０を収容する冷媒槽２１を内部に配置した真空槽本体部の上部から、導体引出部を挿通する筒状部を垂設した構成とし、導体引出部の下端と、超電導ケーブルの超電導導体層との接続に、接続電極部１３、１３Ａ、１３Ｂ、１３Ｃ、１３Ｄを設けた構成としても良い。
【００９７】
以上、本発明者によってなされた発明を実施の形態に基づいて具体的に説明したが、本発明は上記実施の形態に限定されるものではなく、その要旨を逸脱しない範囲で変更可能である。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  端末構造体
１０  超電導ケーブル
１１  ケーブルコア
１２  断熱管
１３、１３Ａ、１３Ｂ、１３Ｃ、１３Ｄ  接続電極部（常電導電極）
１４  シールド接続端子
１５  電界緩和部
２０  低温容器
２１  冷媒槽
２２  真空槽
２３、２３−１、２３−２、２３−３  がい管部
３０  リード部（常電導導体）
３１  内部中間導体（常電導導体）
３２  導体中継部（常電導導体）
３３  外部中間導体（常電導導体）
３４  外部端子部（常電導導体）
４０  シールド通電部
４２  シールド中継部
１１１  中央冷却管
１１２、１１２−１、１１２−２、１１２−３  超電導導体層
１１３、１１３−１、１１３−２、１１３−３  電気絶縁層
１１４  ケーブルシールド層
１１５  保護層
１２１  断熱内管
１２２  断熱外管
１３２、１３２Ｂ、１３２Ｃ、１３２Ｄ  電極本体
１３２ａ、１３２Ｂａ、１３２Ｃａ  後端側の面
１３４  接続片部
１３６  押え部
１３７  超電導電流リード
１３８  常電導テープ（常電導線）
１３９  円環板部
１３９ａ  後端側の面（一方の面）
２１２ａ、２２２ａ  開口
２３２  絶縁筒
２３４  ポリマー被覆体
２８２  電界緩和部
１１２０  超電導テープ
１１２０１  端部
【図１】
0006482358.tif 000002
【図２】
0006482358.tif 000003
【図３】
0006482358.tif 000004
【図４】
0006482358.tif 000005
【図５】
0006482358.tif 000006
【図６】
0006482358.tif 000007
【図７】
0006482358.tif 000008
【図８】
0006482358.tif 000009
【図９】
0006482358.tif 000010
【図１０】
0006482358.tif 000011
【図１１】
0006482358.tif 000012